(57)【要約】      （修正有）【課題】和服を着用する際に着装する帯全般（機械織り、手機織り、綴、染、九寸、八寸、名古屋帯、袋帯、丸帯、本袋帯）の新構造と女性の美に対しての、より一層の美しさを表現する為に、房付き帯を提供する。【解決手段】日本古来から存在する帯のお太鼓の中心部位に房２本を左右対称に取り付けると共に、腹前に当たる部位にも房を１本縫着する。【選択図】図１
0003136716.tif 000002
【実用新案登録請求の範囲】
【請求項１】
和服を着用した際に、着装する帯のお太鼓に左右対称に、１本づつ計２本の房の上部位の根元を帯地に、糸もしくは金具にて直接、固定し縫着させる。
【請求項２】
着装した時に、腹前に当たる部位にも房を１本、糸もしくは金具にて直接、帯地に縫着させ固定させる。
【考案の詳細な説明】
【技術分野】
【０００１】本考案は、日本古来の伝統文化を守る為、和服と云うものに対し、女性をより美しく表現する為の房付き帯に関するものとする。
【背景技術】
【０００２】従来の帯は、お太鼓の部分の柄付けも、単なる図柄でしか無かった為、表現力が乏しく、立体性が無い為、個性的にも変化が見られない。【０００３】従来の帯は、本案件の様に房をただ単に取り付けたからと云って、同じ様にはならない。本案件の房付き帯は、房を固定する二ヶ所を、お太鼓の図柄の中心部分の支点としてとらまえ、この支点を生かした柄付け、図案を考えなければ房による表現性が生かされない。【０００４】房付き帯の房自体は、糸もしくは金属使用の糸を用い、着装時、歩行した時に左右に揺れ動くように構成されている。
【考案の開示】
【考案が解決しようとする課題】
【０００５】本考案は、以上の様な従来の欠点に際し、着装した人の動きに対して表現される表現力をより豊かに発揮する為の提供を目的としている。
【課題を解決するための手段】
【０００６】本件発案により、日本国民の全女性に対しての表現力の豊かさと、各々の存在感、個性の追求と美に対して探究心を探る為のものとする。
【考案の効果】
【０００７】以上の説明が明らかな様に、本考案にあたっては、次に列挙する効果が得られる。
（１）〔請求項１〕の構造条件として構成されているので、より一層、和服姿に対しての興味付けと、幅広い年齢層の女性に対し、それぞれの個性に合わせた主張が出来る。従って、喜びと和服姿に対する関心度を高める事が出来る。【０００８】（２）前記（１）によって、着物姿の関心度が少しでも多くの女性に、広まる事が期待出来る。【０００９】（３）前記（１）によって、日本古来の伝統文化である和服、着物姿に対しての意識付けと、着物離れが解消出来る。【００１０】（４）より一層の需要を広げる事が出来、流通面での活性化が期待出来る。
【発明を実施する為の最良の形態】
【００１１】糸で形成された物、又は金糸を用いて出来た房状の物を、着装時のお太鼓部分と腹前部分に縫着させ、歩行した時に房の下部位が左右対称に揺れ動くように、縫着は房の上部位（支点）のみにする。以下、本考案の実施の形態を図面代用写真に基いて説明する。
【実施例１】
【００１２】図面代用写真１は本考案の実施例１の正面図であり、静止状態を表したものである。
【実施例２】
【００１３】図面代用写真２，３は着装して歩行した時の房の揺れ方を、それぞれ表したものである。
【図面代用写真の簡単な説明】
【図面代用写真１】
【００１４】本考案を実施する為、最良の第一の形態の静止図である。
【図面代用写真２，３】
【００１５】着装時の歩行の動きに合わせた、房の揺れ方を表した形態の代用写真である。
【図面代用写真４】
【００１６】腹前の静止状態を表したものである。
【符号の説明】
【００１７】Ａ−１    お太鼓、正面左、房付け部位
Ａ−２    お太鼓、正面右、房付け部位
Ｂ−１    腹前、正面右、房付け部位
〔書類名〕  図面代用写真
〔図面代用写真１〕    正面静止
〔図面代用写真２〕    お太鼓、左揺れ
〔図面代用写真３〕    お太鼓、右揺れ
〔図面代用写真４〕    腹前
0003136716.tif 000003
0003136716.tif 000004
0003136716.tif 000005
0003136716.tif 000006
【手続補正書】
【提出日】平成19年8月9日(2007.8.9)
【手続補正１】
【補正対象書類名】実用新案登録請求の範囲
【補正対象項目名】全文
【補正方法】変更
【補正の内容】
【実用新案登録請求の範囲】
【請求項１】
帯本体のお太鼓部に房を揺動可能に固定した房付き帯
【請求項２】
房は左右対称に２本固定されている請求項１記載の房付き帯
【請求項３】
帯本体の腹前にあたる部分にも房が揺動可能に固定されている請求項１記載の房付き帯
【手続補正２】
【補正対象書類名】明細書
【補正対象項目名】全文
【補正方法】変更
【補正の内容】
【考案の詳細な説明】
【技術分野】
【０００１】本考案は和装用帯に関するものであり、帯のデザインの巾を広げ、和服本来の女性をより美しく表現する機能をより高めようとするものである。
【背景技術】
【０００２】従来の帯は、生地の質感、色、柄でしか、デザインの表現方法がなく、また立体性もないためデザインの表現力も乏しかった。
【考案が解決しようとする課題】
【０００３】本考案は上記のような欠点を解決するものであり、デザインの巾を広げるだけでなく、装着した人の動きに応じて帯のデザインが変化し、より豊かな表現力を備えた和装用帯を提供するものである。
【課題を解決するための手段】
【０００４】請求項１の考案ではお太鼓の部分に、請求項３の考案では更に腹前の部分に房をそれぞれ揺動可能に固定したものである。
【考案の効果】
【０００５】本考案によれば装着者の動きとともに前後左右、特に左右に揺れる房がデザインの一要素として帯本体の色、柄に加わる事になり、動きにつれて揺れる房をデザインの要素としてトータルデザインが可能となり、デザインの巾、表現力が飛躍的に広がることになる。
また、装着者の動き、身のこなしとともに帯の動きが加わり、女性の本質である優雅さが和服とともにより強調される事により、和服の良さがより見直される機会を増やす事につながるものである。
【考案を実施するための最良の形態】
【０００６】図１は本考案の一実施例における房付き帯のお太鼓部分の正面図であり、１は帯本来のお太鼓部分、２は糸もしくは金糸よりなる房本体３を揺動可能に支持する房上部で、その中央部２ａにて糸で帯本体のお太鼓部１に縫着されている。
なお房上部２の固定は糸でなくても小さい金具、又は特殊な接着剤などで固定しても良い。
図２および図３は装着者の動きによって房本体が揺れる様子を示すもので、図２では房本体３が左に、図３では房本体３が右に揺れて状態を示したものである。
図４は本考案の他の実施例を示したもので、お太鼓部に加えて腹前部にも房を取り付けたものである。
図４において、４は帯本体の腹前部、５は房本体６を揺動可能に支持する房上部で、その中央部５ａにて腹前部４に糸等で縫着されている。
【図面の簡単な説明】
【０００７】
【図１】図１は本考案の一実施例における房付き帯のお太鼓部分の正面図、
【図２】図２および
【図３】図３は同実施例において房が揺れる状態を示す正面図、
【図４】図４は本考案の他の実施例における房付き帯の腹前部の正面図である。
【符号の説明】
【０００８】１・・・帯本来のお太鼓部
２・・・房上部
３・・・房本体
４・・・房本来の腹前部
５・・・房上部
６・・・房本体
【手続補正３】
【補正対象書類名】図面
【補正対象項目名】全図
【補正方法】変更
【補正の内容】
【図１】
0003136716.tif 000007
【図２】
0003136716.tif 000008
【図３】
0003136716.tif 000009
【図４】
0003136716.tif 000010